(57)【要約】【課題】施工にかかる手間を軽減することができる建築板の施工構造を提供する。【解決手段】上下方向に複数の下地板２０が階段状に並べられて形成される構造物下地２と、構造物下地２上に左右方向に突付けて配置されると共に、上下方向で端部同士が重なり合って階段状に配置される複数の建築板１と、複数の建築板１の突付け箇所６の裏側に配置される防水部材５と、を備える。防水部材５は、複数の建築板１の突付け箇所６と構造物下地２との間に配置される板状部５１と、上下方向に隣接する下地板２０の端部２３ａ、２３ｂの重なり部分２５に差し込まれる差し込み部５６と、を有する。【選択図】図１
2020084421.tif 000002
【特許請求の範囲】
【請求項１】
上下方向に複数の下地板が階段状に並べられて形成される構造物下地と、
前記構造物下地上に左右方向に突付けて配置されると共に、上下方向で端部同士が重なり合って階段状に配置される複数の建築板と、
前記複数の建築板の突付け箇所の裏側に配置される防水部材と、を備え、
前記防水部材は、前記複数の建築板の突付け箇所と前記構造物下地との間に配置される板状部と、上下方向に隣接する前記下地板の端部の重なり部分に差し込まれる差し込み部と、を有する、
建築板の施工構造。
【請求項２】
請求項１において、
前記構造物下地は、前記重なり部分として、第一の重なり部分と、前記第一の重なり部分よりも下方に位置する第二の重なり部分と、を備え、
前記防水部材は、前記差し込み部として、前記第一の重なり部分に差し込まれる第一の差し込み部と、前記第二の重なり部分に差し込まれる第二の差し込み部と、を備える、
建築板の施工構造。
【請求項３】
請求項１又は２において、
前記差し込み部は、前記重なり部分の前記下地板に接着されている、
建築板の施工構造。
【請求項４】
請求項１ないし３のいずれか一項において、
前記板状部の表面の少なくとも左右方向両端部に堰部が設けられている、
建築板の施工構造。
【請求項５】
請求項１ないし４のいずれか一項において、
前記構造物下地が既設屋根であり、
前記建築板が新設屋根材である、
屋根の改修構造。
【請求項６】
上下方向に複数の下地板が階段状に並べられて形成される構造物下地上に、左右方向に突付けて配置されると共に上下方向で端部同士が重なり合って階段状に配置される複数の建築板を保持する防水部材であって、
前記複数の建築板の突付け箇所と前記構造物下地との間に配置される板状部と、上下方向に隣接する前記下地板の端部の重なり部分に差し込まれる差し込み部と、を有する、
防水部材。
【発明の詳細な説明】
【技術分野】
【０００１】
本発明は、建築板の施工構造、屋根の改修構造及び防水部材に関する。詳しくは、複数の建築板を備えた施工構造、屋根の改修構造及びこれらに使用される防水部材に関する。
【背景技術】
【０００２】
特許文献１には、防水兼雪止具を備えた外装材の取付構造が記載されている。この防水兼雪止具は、左右に互いに突付けて配置されると共に、上下に端部同士が重なり合って階段状に配置された複数枚の建築板が施工された構造に用いられるものであって、建築板の左右突付け箇所裏側に配置される水平面状の敷目部と、該敷目部の下端縁を上方に突出した雪止片とを備えている。
【先行技術文献】
【特許文献】
【０００３】
【特許文献１】特開２００２−２１２５８号公報
【発明の概要】
【発明が解決しようとする課題】
【０００４】
しかし、上記外装材の取付構造では、防水兼雪止具を屋根下地に固定する際に、釘打ちやビス留めなどの固定具による固定作業を行う必要があり、施工に手間がかかるという問題があった。
【０００５】
本発明は上記の点に鑑みてなされたものであり、複数の建築板を施工するにあたって、施工にかかる手間を軽減することができる建築板の施工構造、屋根の改修構造及び防水部材を提供することを目的とする。
【課題を解決するための手段】
【０００６】
本発明に係る一態様の建築板の施工構造は、上下方向に複数の下地板が階段状に並べられて形成される構造物下地と、前記構造物下地上に左右方向に突付けて配置されると共に、上下方向で端部同士が重なり合って階段状に配置される複数の建築板と、前記複数の建築板の突付け箇所の裏側に配置される防水部材と、を備える。前記防水部材は、前記複数の建築板の突付け箇所と前記構造物下地との間に配置される板状部と、上下方向に隣接する前記下地板の端部の重なり部分に差し込まれる差し込み部と、を有する。
【０００７】
本発明に係る一態様の屋根の改修構造は、前記構造物下地が既設屋根であり、前記建築板が新設屋根材である。
【０００８】
本発明に係る一態様の防水部材は、上下方向に複数の下地板が階段状に並べられて形成される構造物下地上に、左右方向に突付けて配置されると共に上下方向で端部同士が重なり合って階段状に配置される複数の建築板を保持する防水部材である。前記複数の建築板の突付け箇所と前記構造物下地との間に配置される板状部と、上下方向に隣接する前記下地板の端部の重なり部分に差し込まれる差し込み部と、を有する。
【発明の効果】
【０００９】
本発明に係る一態様の建築板の施工構造、屋根の改修構造及び防水部材では、防水部材を構造物下地に固定する際に、構造物下地にある重なり部分への差し込み部の差し込みを利用することができ、施工にかかる手間を軽減することができる、という利点がある。
【図面の簡単な説明】
【００１０】
【図１】図１は、本発明に係る建築板の施工構造の一実施形態を示す斜視図である。
【図２】図２は、同上の軒方向から見た断面図である。
【図３】図３Ａは、同上の防水部材を示す斜視図である。図３Ｂは、同上の防水部材を示すＹ−Ｙ断面図である。図３Ｃは、同上の防水部材を示すＸ−Ｘ断面図である。
【図４】図４Ａ及び図４Ｂは、同上の施工方法を示す一部の拡大した斜視図である。
【図５】図５は、同上の施工方法を示す一部の斜視図である。
【図６】図６Ａ及び図６Ｂは、同上の施工方法を示す一部の拡大した斜視図である。
【図７】図７Ａ及び図７Ｂは、同上の他の施工方法を示す一部の拡大した斜視図である。
【図８】図８は、同上の他の施工方法を示す一部の斜視図である。
【図９】図９Ａ及び図９Ｂは、同上の他の施工方法を示す一部の拡大した斜視図である。
【発明を実施するための形態】
【００１１】
以下、本発明を実施するための形態を説明する。
【００１２】
図１は、本実施形態の建築板の施工構造としては、既設屋根の改修構造を示している。この場合、構造物下地２は、改修される既設屋根であり、その表面側に新設屋根材である建築板１と、防水部材５とが配置され、新設屋根が形成される。
【００１３】
（構造物下地２）
図２に示すように、構造物下地２は、野地２１と、野地２１の上に敷かれた下葺材２７と、野地２１の上に下葺材２７を介して設けられた複数の下地板２０とを備えている。下地板２０は下葺材２７の表面に葺かれた下地板である。
【００１４】
下葺材２７は、例えば、アスファルトルーフィングであって、シート状に形成されている。
【００１５】
下地板２０は既設屋根材であって、平面視略矩形板状のスレート瓦であって、セメント系成形材料を成形し、養生硬化することで製造される。
【００１６】
複数の下地板２０は、野地２１上に、軒棟方向と軒方向との両方向に並べて設置されている。ここで、軒棟方向とは屋根の勾配方向であり、軒から棟に向かう方向及び棟から軒に向かう方向を意味する。軒方向とは屋根の一つの傾斜面における軒に沿った方向であって、軒棟方向と直交する左右方向である。すなわち、軒棟方向は、下地板２０が階段状に並ぶ方向であり、軒方向は、下地板２０が階段状に並ぶ方向と直交する方向である。
【００１７】
構造物下地２には複数の重なり部分２５が形成されている。各重なり部分２５は軒棟方向に隣接する複数の下地板２０が上下方向に重なることにより形成される。図２では、軒棟方向に隣接して並ぶ複数の下地板２０ａ、２０ｂ、２０ｃ、２０ｄが上下に重なっている部分を示している。この場合、最も軒側に位置する下地板２０ａの軒側端部２３ａと、この軒側端部２３ａの下方に位置する下地板２０ｂと、下地板２０ｂの下方に位置する下地板２０ｃの棟側端部２２ｃとで棟側の重なり部分（第一の重なり部分）２５１が形成されている。また、上記下地板２０ｂの軒側端部２３ｂと、この軒側端部２３ｂの下方に位置する上記下地板２０ｃと、下地板２０ｃの下方に位置する下地板２０ｄの棟側端部２２ｄとで軒側の重なり部分（第二の重なり部分）２５２が形成されている。なお、重なり部分２５は少なくとも２枚の下地板２０が重なり合って形成することができる。
【００１８】
複数の下地板２０は、軒方向に隣接する下地板２０同士を突付けた状態で、野地２１上に設置されている。ここで、「突付け」とは、軒方向に隣接する下地板２０のうちの一方の端面と、他方の端面とを突き合せることを意味する。下地板２０は、棟側に隣接した下地板２０によって覆われる被覆部２８と、棟側に隣接した下地板２０によって覆われずに露出した曝露部（露出部）２９とを備えている。
【００１９】
下地板２０の被覆部２８には、釘やビス等の固着具２４が厚み方向に貫通している。固着具２４は、下葺材２７を介して野地２１に打入されており、これにより、下地板２０は野地２１に固定されている。
【００２０】
（建築板１）
建築板１は、平面視略矩形板状のスレート瓦であって、セメント系成形材料を成形し、養生硬化することで製造される。建築板１は既設屋根を覆うカバー材として使用される。なお、建築板１は既設屋根材である下地板２０と軒棟方向の寸法が異なるものを使用できる。
【００２１】
（防水部材５）
防水部材５は捨て板又はジョイント材と称されるものであって、軒方向に隣接する建築板（新設屋根材）１の突付け箇所６から浸入した雨水を受ける。すなわち、軒棟方向に隣接する建築板１を重ねることにより、屋根の防水性は確保されているが、建築板１の形状によっては、軒方向で隣接する建築板１の突付け箇所６から浸入する水に対して、この突付け箇所６の裏側に防水部材５を配置する。
【００２２】
防水部材５は、例えば、金属製であり、板金を曲げ加工することで一体に形成される。板金としては、ステンレス鋼板、ガルバリウム鋼板（登録商標）などが使用される。また防水部材５は、樹脂製又はアルミニウム製であってもよい。
【００２３】
図３Ａ、図３Ｂ及び図３Ｃに示すように、防水部材５は、板状部５１と、位置決め部５３と、堰部５５、差し込み部５６とを有している。
【００２４】
板状部５１は、軒棟方向に長い矩形板状に形成されている。板状部５１は、下地板２０の上面に沿って配置される。板状部５１における軒方向の両端（幅方向に沿った両端）には、板状部５１の表面側に向かって突出した一対の堰部５５が、それぞれ形成されている。
【００２５】
各堰部５５は、板状部５１の軒棟方向の全長に亘って形成されている。各堰部５５は、板状部５１の軒方向の端から表面側に向かって突出した縦片５５１と、縦片５５１の先端から、軒方向における板状部５１とは反対側に向かって突出した横片５５２とを有している。一対の堰部５５の横片５５２には、軒方向に隣接する建築板（新設屋根材）１の隣接箇所４（建築板１の軒方向端部、図１参照）がそれぞれ載せられる。このため、例えば、建築板１が踏まれる等して、建築板１に下向きの力が加わったとき、この建築板１を防水部材５で支持することができ、これにより、建築板１の変形が抑制される。
【００２６】
位置決め部５３は、板状部５１の軒側端に、板状部５１の表面側に向かって突出して形成されている。位置決め部５３は、板状部５１の軒方向の全長に亘って形成されている。位置決め部５３は、板状部５１の軒側端から表面側に向かって突出した立ち上げ片５３１と、立ち上げ片５３１の先端から、棟側（板状部５１側）に向かって突出した押さえ片５３２とを有している。立ち上げ片５３１と押さえ片５３２は二重の金属板で形成されている。位置決め部５３は、板状部５１と立ち上げ片５３１と押さえ片５３２との間に挿入空間５３３を形成するものであり、この挿入空間５３３に建築板１の軒側端部を差し込むことにより、軒棟方向において建築板１の下端が位置決めされる。
【００２７】
一対の堰部５５及び位置決め部５３は、雨水が軒方向で隣接する建築板１の突付け箇所６から板状部５１の表面に落下して板状部５１の表面を流れたときに、この雨水を堰き止めて広がりを抑えつつ、この雨水を板状部５１の軒側に排出されるようにガイドする機能も有する。なお、立ち上げ片５３１、立ち上げ片５３１と板状部５１とのなす角部に水抜き孔を形成していてもよい。
【００２８】
差し込み部５６は、棟側の差し込み部（第一の差し込み部）５６１と、軒側の差し込み部（第二の差し込み部）５６２とを有する。棟側の差し込み部５６１は軒側の差し込み部５６２よりも棟側に設けられている。すなわち、軒側の差し込み部５６２は棟側の差し込み部５６１よりも軒側に設けられている。
【００２９】
棟側の差し込み部５６１は防水部材５の棟側端部で形成されている。すわなち、棟側の差し込み部５６１は、板状部５１の棟側端部と各堰部５５の棟側端部で形成されている。軒側の差し込み部５６２は、図３Ｃに示すように、板状部５１の裏面側に設けられている。すなわち、立ち上げ片５３１の下端（板状部５１の軒側端）から板状部５１の裏面に沿って棟側に延びる延出片５１２と、延出片５１２の先端から外側（板状部５１の裏側に離れる方向）に突出する突出片５１３とを設け、その突出片５１３の先端から棟側に向かって軒側の差し込み部５６２が形成されている。板状部５１と軒側の差し込み部５６２との間の寸法は、下地板２０の厚みよりも少し大きく形成されている。軒側の差し込み部５６２は板状部５１の軒方向の略全長にわたって設けられている。
【００３０】
（建築板１の施工方法）
本実施形態において、構造物下地（既設屋根）２に建築板（新設屋根材）１を施工し、図１に示す新設屋根を形成するにあたっては、次のようにして行う。
【００３１】
まず、複数の建築板１を順次葺いて施工していく。図５に示すように、建築板１は棟側から軒側に向かって施工されていく。すなわち、複数の建築板１を棟方向で一列に施工した後、その一列に施工した複数の建築板１の軒側に、別の複数の建築板１を軒方向で一列に施工していく。このようにして複数の建築板１を棟側から軒側に向かって順次施工していく。複数の建築板１は、例えば千鳥配置で施工できるが、これに限定されない。
【００３２】
ここで、軒方向で隣接する建築板１は、軒棟方向に延びる側端部同士が突付けられて配置される。また軒棟方向で隣接する建築板１は上下方向で端部同士が重なり合って階段状に配置される。すなわち、軒側の建築板１の棟側端部の表面側に、棟側の建築板１の軒側端部が重ねられて配置される。このような場合、複数（三つ）の建築板１の隣接箇所４では、軒方向で隣接する建築板１の突付け箇所６における防水性の向上が望まれる。また軒棟方向で隣接する建築板１は、軒側の建築板１と棟側の建築板１との位置を簡単に正確に配置することが望まれる。そこで、本実施形態では、防水部材５で、軒方向で隣接する建築板１の突付け箇所６における防水性の向上し、かつ軒側の建築板１と棟側の建築板１との位置を簡単に正確に配置することをおこなっている。
【００３３】
複数の建築板１及び複数の防水部材５を施工する方法には二通りの手順がある。
【００３４】
まず、第一の施工方法について説明する。
【００３５】
図４Ａに示すように、複数の建築板１３を軒方向で一列に施工した後、その一列に施工した複数の建築板１３の軒側に他の建築板１１を配置する。このとき、一列に施工した複数の建築板１３の軒側端部１３５は、建築板１３の下側（裏側）に位置する棟側の重なり部分２５１よりも軒側に突出している。また軒側端部１３５と、その軒側端部１３５の下側にある構造物下地２の表面（下地板２０の曝露部２９）との間の隙間２０１に、建築板１１の棟側端部１１６を差し込む。隙間２０１の上下方向の寸法は下地板２０の厚みとほぼ同じである。なお、複数の建築板１３も本実施形態と同様にして施工されている。
【００３６】
次に、図４Ｂに示すように、軒方向において建築板１１に隣接して他の建築板１２を配置する。このとき、建築板１１と同様に、棟側にある建築板１３の軒側端部１３５と、その軒側端部１３５の下側にある構造物下地２の表面（下地板２０の曝露部２９）との間の隙間２０１に、建築板１２の棟側端部１２６を差し込む。また軒方向で隣接する建築板１１と建築板１２とは側端部（軒棟方向に延びる端部）１１９，１２９同士が突付けられて配置される。このようにして、複数の建築板１（１１，１２）を軒方向で一列に並べて配置する。そして、軒方向で隣接する建築板１１と建築板１２とが側端部１１９，１２９同士を突付けて突付け箇所６が形成される。
【００３７】
次に、防水部材５を配置する。この場合、図５、図６Ａ及び図６Ｂのように、防水部材５の棟側の差し込み部５６１を棟側に向けて、防水部材５を建築板１１及び建築板１２に軒側から近づける。そして、軒方向で隣接する建築板１１と建築板１２の突付け箇所６の裏側に板状部５１を差し込む。すなわち、軒方向で隣接する建築板１１と建築板１２の突付け箇所６の裏側において、建築板１１及び建築板１２の裏面と構造物下地２の表面との間に板状部５１を棟側の差し込み部５６１の方から差し込む。
【００３８】
棟側の差し込み部５６１は棟側の建築板１３の下側にある棟側の重なり部分２５１に差し込む。すなわち、棟側の建築板１３の下側には、下地板２０ａの軒側端部２３ａとその軒側にある下地板２０ｂとが重なった棟側の重なり部分２５１が形成されており、この軒側端部２３ａと下地板２０ｂとの間に棟側の差し込み部５６１を軒側から差し込む（図２参照）。
【００３９】
また、軒側の差し込み部５６２は、上記棟側の重なり部分２５１とは異なる他の重なり部分２５（軒側の重なり部分２５２）に差し込む。軒側の重なり部分２５２は棟側の重なり部分２５１の軒側にあり、棟側の重なり部分２５１の一段下の重なり部分２５である。すなわち、軒側の重なり部分２５２を構成する下地板２０ｂの軒側端部２３ｂとその軒側にある下地板２０ｃとの間に軒側の差し込み部５６２を軒側から差し込む（図２参照）。なお、棟側の重なり部分２５１を構成する下地板２０ｂは、軒側の重なり部分２５２を構成する軒側端部２３ｂが有している。
【００４０】
突付け箇所６において、防水部材５は突出片５１３が下地板２０ｂの軒側端面に当たるまで差し込むのが好ましく、これにより、防水部材５の位置決めを行うことができる。また差し込み部５６は重なり部分２５において下地板２０と接着することが好ましい。特に、下地板２０の軒側端部２３ａ、２３ｂに差し込み部５６を接着するのが好ましい。この場合、防水部材５を構造物下地２に強固に配置することができ、建築板１の固定強度を向上させることができる。接着する差し込み部５６は、棟側の差し込み部５６１だけでもよく、あるいは軒側の差し込み部５６２だけでもよく、あるいは棟側の差し込み部５６１及び軒側の差し込み部５６２の両方であってもよい。
【００４１】
また突付け箇所６において、防水部材５の挿入空間５３３に建築板１１の軒側端部１１５及び建築板１２の軒側端部１２５を差し込み、位置決め部５３で建築板１１の下端１１１及び建築板１２の下端１２１の位置決めをする。建築板１１の下端１１１及び建築板１２の下端１２１は位置決め部５３の立ち上げ片５３１と当たっていてもよいし、当たっていなくてもよい。すなわち、建築板１１の下端１１１及び建築板１２の下端１２１（並びに建築板１３の下端１３１）は立ち上げ片５３１と必ず当てる必要はなく、隙間を設けてもよい。この場合、下端１１１、１２１（及び１３１）と立ち上げ片５３１との間に入り込む雨水を隙間から排出しやすくなるものである。このようにして複数の建築板１と複数の防水部材５を施工することにより、図１に示すような新設屋根が形成される。
【００４２】
次に、第二の施工方法について説明する。
【００４３】
図７Ａに示すように、複数の建築板１３を軒方向で一列に施工した後、その一列に施工した複数の建築板１３の軒側に他の建築板１１を配置する。上記と同様に、一列に施工した複数の建築板１３の軒側端部１３５は、建築板１３の下側（裏側）に位置する棟側の重なり部分２５１よりも軒側に突出している。また上記と同様に、軒側端部１３５と、その軒側端部１３５の下側にある構造物下地２の表面（下地板２０の曝露部２９）との間の隙間２０１に、建築板１１の棟側端部１１６を差し込む。なお、複数の建築板１３も本実施形態と同様にして施工されている。
【００４４】
次に、防水部材５を配置する。この場合、図７Ｂのように、防水部材５の棟側の差し込み部５６１を棟側に向けて、防水部材５を建築板１１に軒側から近づける。そして、建築板１１の軒棟方向に延びる側端部１１９の裏側に板状部５１を差し込む。このとき、軒方向における板状部５１の半分が建築板１１の軒棟方向に延びる側端部１１９の裏側に差し込まれる。すなわち、軒方向における板状部５１の残りの半分は、建築板１１の軒棟方向に延びる側端部１１９よりも軒方向に突出することになる。
【００４５】
上記と同様に、棟側の差し込み部５６１は棟側の建築板１３の下側にある棟側の重なり部分２５１に差し込む。すなわち、棟側の建築板１３の下側には、下地板２０ａの軒側端部２３ａとその軒側にある下地板２０ｂとが重なった棟側の重なり部分２５１が形成されており、この軒側端部２３ａと下地板２０ｂとの間に棟側の差し込み部５６１を軒側から差し込む（図２参照）。
【００４６】
また、上記と同様に、軒側の差し込み部５６２は、上記棟側の重なり部分２５１とは異なる他の重なり部分２５（軒側の重なり部分２５２）に差し込まれる。軒側の重なり部分２５２は棟側の重なり部分２５１の軒側にあり、棟側の重なり部分２５１の一段下の重なり部分２５である。すなわち、軒側の重なり部分２５２を構成する下地板２０ｂの軒側端部２３ｂとその軒側にある下地板２０ｃとの間に軒側の差し込み部５６２を軒側から差し込む（図２参照）。
【００４７】
防水部材５は突出片５１３が下地板２０の軒側端面に当たるまで差し込むのが好ましく、これにより、防水部材５の位置決めを行うことができる。また差し込み部５６は重なり部分２５において下地板２０と接着することが好ましい。この場合、防水部材５を構造物下地２に強固に配置することができ、建築板１の固定強度を向上させることができる。接着する差し込み部５６は、棟側の差し込み部５６１だけでもよく、あるいは軒側の差し込み部５６２だけでもよく、あるいは棟側の差し込み部５６１及び軒側の差し込み部５６２の両方であってもよい。
【００４８】
また防水部材５の挿入空間５３３に建築板１１の軒側端部１１５を差し込み、位置決め部５３で建築板１１の下端１１１の位置決めをする。建築板１１の下端１１１は位置決め部５３の立ち上げ片５３１と当たっていてもよいし、当たっていなくてもよい。すなわち、建築板１１の下端１１１は立ち上げ片５３１と必ず当てる必要はなく、隙間を設けてもよい。この場合、下端１１１と立ち上げ片５３１との間に入り込む雨水を隙間から排出しやすくなるものである。
【００４９】
次に、軒方向において建築板１１に隣接して他の建築板１２を配置する。このとき、図８及び図９Ａのように、建築板１１の場合と同様に、棟側にある建築板１３の軒側端部１３５と、その軒側端部１３５の下側にある構造物下地２の表面（下地板２０の曝露部２９）との間の隙間２０１に、建築板１２の棟側端部１２６を軒側から近づけて差し込む。また板状部５１の表側において、軒方向で隣接する建築板１１と建築板１２とは側端部（軒棟方向に延びる端部）１１９，１２９同士が突付けられて配置される。すなわち、軒方向において建築板１１の側端部１１９よりも軒方向に突出する板状部５１の半分の上に建築板１２の側端部１２９を配置する。これにより、軒方向で隣接する建築板１１と建築板１２との突付け箇所６の裏側に板状部５１が配置される。また防水部材５の挿入空間５３３に建築板１２の軒側端部１２５を差し込み、図９Ｂに示すように、位置決め部５３で建築板１２の軒棟方向の位置決めをする。建築板１２の下端（軒側端面）１２１は位置決め部５３の立ち上げ片５３１と当たっていてもよいし、当たっていなくてもよい。このようにして、複数の建築板１（１１，１２）と防水部材５を軒方向で一列に並べて配置する。
【００５０】
そして、上記第一及び第二の施工方法で形成された新設屋根において、軒側の建築板１１及び建築板１２と棟側の建築板１３との隣接箇所４において、軒方向で隣接する建築板１１と建築板１２との突付け箇所６の裏側には、突付け箇所６と構造物下地２の表側（下地板２０の表面）との間に防水部材５の板状部５１が配置される。したがって、突付け箇所６に生じる建築板１１と建築板１２との隙間に雨水が浸入しても板状部５１で受けて軒側へと流すことができる。
【００５１】
また、軒側の建築板１１及び建築板１２と棟側の建築板１３との隣接箇所４において、建築板１１と建築板１２と建築板１３との位置関係は防水部材５により決めやすい。すなわち、棟側の建築板１３と防水部材５とは棟側の差し込み部５６１及び軒側の差し込み部５６２により、それらの互いの位置関係が容易に決まり、かつ、棟側の建築板１３と位置決めされた防水部材５に軒側の建築板１１及び建築板１２とが位置決め部５３により位置決めするため、建築板１１及び建築板１２と建築板１３の位置関係が決めやすくなる。
【００５２】
（変形例）
以上説明した本実施形態は、適宜設計変更可能である。例えば、構造物下地、建築板、防水部材の各々の材質や形状は、適宜変更可能である。例えば、防水部材の形状は、水を受けて下段（軒側）の建築板に排水する形であれば、形は問わず、長方形、正方形、羽付き形等の形状であってもよい。
【００５３】
上記では、既設屋根の改修構造について説明したが、これに限られず、本実施形態は構造物下地が階段状に施工された複数の板材で形成されたものに建築板を施工する場合にも適用できる。
【００５４】
また上記では、屋根構造について説明したが、これに限られず、本実施形態は壁構造を施工する場合にも適用できる。この場合、構造物下地は壁下地であり、建築板は外壁材や内壁材などの壁材である。さらには、建築板は、フェンスなどの外構に設置されるものであってもよい。
【００５５】
また上記では、堰部は折り曲げ加工により板状部と一体に形成しているが、これに限られず、堰部は板状部とは別体で、水を止める効果のある部材を板状部に接着して設けてもよい。例えば、エプトシーラーやシーリング等などの樹脂製部材で堰部を形成してもよい。
【００５６】
また上記では、防水部材５の差し込み部５６として、棟側の差し込み部５６１及び軒側の差し込み部５６２で構成されているが、これに限定されず、いずれか一方であってもよい。
【００５７】
また上記では、差し込み部５６と重なり部分２５とが接着されているが、これに限定されず、接着されていなくてもよい。
【００５８】
（まとめ）
以上説明したように、第１の態様に係る建築板の施工構造は、上下方向に複数の下地板（２０）が階段状に並べられて形成される構造物下地（２）と、構造物下地（２）上に左右方向に突付けて配置されると共に、上下方向で端部同士が重なり合って階段状に配置される複数の建築板（１）と、複数の建築板（１）の突付け箇所（６）の裏側に配置される防水部材（５）と、を備える。防水部材（５）は、複数の建築板（１）の突付け箇所（６）と構造物下地（２）との間に配置される板状部（５１）と、上下方向に隣接する下地板（２０）の端部（２３ａ、２３ｂ）の重なり部分（２５）に差し込まれる差し込み部（５６）と、を有する。
【００５９】
この態様によれば、防水部材（５）を構造物下地（２）に固定する際に、釘打ちやビス留めなどの固定具による固定作業を行わなくてもよく、構造物下地（２）にある重なり部分（２５）への差し込み部（５６）の差し込みを利用することができ、施工にかかる手間を軽減することができる。
【００６０】
第２の態様に係る建築板の施工構造は、第１の態様において、構造物下地（２）は、重なり部分（２５）として、第一の重なり部分（２５１）と、第一の重なり部分（２５１）よりも下方に位置する第二の重なり部分（２５２）と、を備える。防水部材（５）は、差し込み部（５６）として、第一の重なり部分（２５１）に差し込まれる第一の差し込み部（５６１）と、第二の重なり部分（２５２）に差し込まれる第二の差し込み部（５６２）と、を備える。
【００６１】
この態様によれば、防水部材（５）の構造物下地（２）への固定は、第一の重なり部分（２５１）に差し込まれる第一の差し込み部（５６１）と、第二の重なり部分（２５２）に差し込まれる第二の差し込み部（５６２）との複数箇所で行うことができ、一箇所で防水部材５を固定する場合に比べて、防水部材（５）の固定強度を高めることができる。
【００６２】
第３の態様に係る建築板の施工構造は、第１又は２の態様において、差し込み部（５６）は、重なり部分（２５）の下地板（２０）に接着されている。
【００６３】
この態様によれば、防水部材（５）の構造物下地（２）への固定は、重なり部分（２５）への差し込み部（５６）の差し込みに加えて、差し込み部（５６）の下地板（２０）への接着でも行うことができ、防水部材（５）の固定強度を高めることができる。
【００６４】
第４の態様に係る建築板の施工構造は、第１ないし３の態様において、板状部（５１）の表面の少なくとも左右方向両端部に堰部（５５）が設けられている。
【００６５】
この態様によれば、堰部（５５）により、雨水が軒方向で隣接する建築板（１）の突付け箇所（６）から板状部（５１）上に落下したときに、この雨水を堰き止めて広がりを抑えつつ、板状部（５１）の軒側に排出されるようにガイドすることができ、突付け箇所（６）の防水性を向上させることができる。
【００６６】
第５の態様に係る屋根の改修構造は、第１ないし４の態様において、構造物下地（２）が既設屋根であり、建築板（１）が新設屋根材である。
【００６７】
この態様によれば、既設屋根を改修するにあたって、防水部材（５）を構造物下地（２）に固定する際に、釘打ちやビス留めなどの固定具による固定作業を行う必要がなく、構造物下地（２）にある重なり部分（２５）への差し込み部（５６）の差し込みを利用することができ、施工に手間がかからないようにすることができる。
【００６８】
第６の態様に係る防水部材は、上下方向に複数の下地板（２０）が階段状に並べられて形成される構造物下地（２）上に、左右方向に突付けて配置されると共に上下方向で端部同士が重なり合って階段状に配置される複数の建築板（１）を保持する防水部材（５）である。複数の建築板（１）の突付け箇所（６）と構造物下地（２）との間に配置される板状部（５１）と、上下方向に隣接する下地板（２０）の端部（２３ａ、２３ｂ）の重なり部分（２５）に差し込まれる差し込み部（５６）と、を有する。
【００６９】
この態様によれば、防水部材（５）を構造物下地（２）に固定する際に、釘打ちやビス留めなどの固定具による固定作業を行わなくてもよく、構造物下地（２）にある重なり部分（２５）への差し込み部（５６）の差し込みを利用することができ、施工に手間がかからないようにすることができる。
【符号の説明】
【００７０】
１  建築板
２  構造物下地
２０  下地板
２３ａ  端部
２３ｂ  端部
２５  重なり部分
２５１  第一の重なり部分
２５２  第二の重なり部分
５  防止部材
５１  板状部
５５  堰部
５６  差し込み部
５６１  第一の差し込み部
５６２  第二の差し込み部
６  突付け箇所
【図１】
2020084421.tif 000003
【図２】
2020084421.tif 000004
【図３】
2020084421.tif 000005
【図４】
2020084421.tif 000006
【図５】
2020084421.tif 000007
【図６】
2020084421.tif 000008
【図７】
2020084421.tif 000009
【図８】
2020084421.tif 000010
【図９】
2020084421.tif 000011